(57)【要約】【課題】店舗の営業途中であっても容易にその日の売上状況を把握できるとともに、日計業務のし忘れを防止可能な決済端末及びＰＯＳ端末を提供すること。【解決手段】商取引毎に発生する所定の数値情報の累計、例えば累計取引件数及び累計取引金額を記憶部に記憶させる。そして、商取引が決済される度に、該決済に対して発生した数値情報を記憶部に記憶された前記数値情報の累計に加算した数値で前記記憶部を更新するとともに、決済端末やＰＯＳ端末の待機画面３０に前記記憶部に記憶された数値情報を表示させる。【選択図】    図３
2011123660.tif 000002
【特許請求の範囲】
【請求項１】
決済用のカードに記憶された情報を読取るカード読取手段と、
取引情報を入力する取引情報入力手段と、
前記カード読取手段により読取ったカード情報と前記取引情報入力手段により入力した取引情報とを用いて、当該取引情報に係る商取引をカード決済するカード決済手段と、
このカード決済手段により商取引がカード決済される度に発生する所定の数値情報を累計記憶する累計記憶手段と、
各種処理の指定を受け付けると共に前記累計記憶手段に記憶された数値情報の表示領域を有する待機画面を表示する表示部と、
を備えていることを特徴とする決済端末。
【請求項２】
前記数値情報は、当該端末でカード決済される取引の件数、又は、当該端末でカード決済される取引の売上金額の少なくとも一方を含むことを特徴とする請求項１に記載の決済端末。
【請求項３】
営業日の売上実績に基づいて規定の勘定項目を集計処理する日計処理手段と、
この日計処理手段による集計処理が行われたとき、前記記憶部に累計記憶された前記数値情報を初期化する初期化手段と、
をさらに備えていることを特徴とする請求項１に記載の決済端末。
【請求項４】
取引情報を入力する取引情報入力手段と、
この取引情報入力手段により入力した取引情報を用いて当該取引情報に係る商取引を決済する決済手段と、
この決済手段により商取引が決済される度に発生する所定の数値情報を累計記憶する累計記憶手段と、
取引情報の入力を受け付けると共に前記累計記憶手段に記憶された数値情報の表示領域を有する待機画面を表示する表示部と、
を備えていることを特徴とするＰＯＳ端末。
【請求項５】
前記数値情報は、当該端末で決済される取引の件数、又は、当該端末で決済される取引の売上金額の少なくとも一方を含むことを特徴とする請求項４に記載のＰＯＳ端末。
【請求項６】
記憶部と、各種情報を表示する表示部とを備えたＰＯＳ端末の制御プログラムであって、
前記ＰＯＳ端末に、
取引情報を入力する取引情報入力機能と、
この取引情報入力機能により入力した取引情報を用いて当該取引情報に係る商取引を決済する決済機能と、
この決済機能により商取引が決済される度に発生する所定の数値情報を前記記憶部に累計記憶させる累計記憶機能と、
取引情報の入力を受け付けると共に前記記憶部に記憶された数値情報の表示領域を有する待機画面を前記表示部に表示させる表示制御機能と、
を実現させるための制御プログラム。
【発明の詳細な説明】
【技術分野】
【０００１】
本発明は、商取引を決済処理する決済端末、ＰＯＳ（Point Of Sales）端末及びその制御プログラムに関する。
【背景技術】
【０００２】
従来、各種の商品販売店舗又は役務提供店舗における商取引の会計業務には、カード決済用の決済端末やＰＯＳ端末が使用されている。
【０００３】
通常、各店舗では、１日の業務の終了後に日計業務が行われる。日計業務において、決済端末やＰＯＳ端末は、１日の取引件数、総取引金額、商品等が属する部門別の取引件数及び取引金額、金券の使用枚数や使用金額等の取引の結果生じる数値情報を、ＰＯＳ端末や決済端末に設けられたプリンタによって印字させたり、ディスプレイに表示させたりしている。店員は、これらの数値情報を目視で確認して１日の取引結果を把握し、売上金の過不足のチェックや在庫の照合等を行っている。
【０００４】
前記した日計業務のように、決済端末やＰＯＳ端末に取引の結果生じる数値情報を出力させる先行技術としては、例えば特許文献１に記載されたＰＯＳシステムが知られている。このシステムでは、ＰＯＳ端末で売り上げた理論上の入金額と、ＰＯＳ端末が備える釣銭機に存在する実際の金額との差額を含むログを作成し、ＰＯＳ端末を操作するキャッシャの交代時に前記ログをプリンタに印字させたり、ディスプレイに表示させたりしている。
【発明の概要】
【発明が解決しようとする課題】
【０００５】
店舗によっては、１日の営業が終了するまでに、その日の取引件数や総取引金額の概算を把握したい場合がある。しかしながら、従来の決済端末やＰＯＳ端末は、前記日計業務を行わない限り、店舗の営業時間中にその日の取引件数や総取引金額を知ることができなかった。したがって、１日の営業が終了するまでに取引件数等を把握するためには、営業の途中で日計業務を行う必要があるが、日計業務を行っている間、決済端末やＰＯＳ端末を使用できないために営業を中断しなければならない事態も生じ得る。
【０００６】
一方で、店員がその日に取引があったかどうか分からずに営業終了時に日計業務を行わなかったり、既に日計業務が完了したと思い込んで、日計業務をし忘れてしまったりする場合がある。このような場合には、翌営業日の営業開始前に急いで前営業日の日計業務を行う必要があるし、売上管理や在庫管理に支障を来しかねない。
【０００７】
本発明は、上記のような事情に基づいてなされたものであり、その目的は、店舗の営業途中であっても容易にその日の売上状況を把握できるとともに、日計業務のし忘れを防止可能な決済端末及びＰＯＳ端末を提供することである。
【課題を解決するための手段】
【０００８】
上記目的を達成するため、本発明は、次の手段を講じている。
【０００９】
本発明の第１の視点は、決済用のカードに記憶された情報を読取るカード読取手段と、取引情報を入力する取引情報入力手段と、前記カード読取手段により読取ったカード情報と前記取引情報入力手段により入力した取引情報とを用いて、当該取引情報に係る商取引をカード決済するカード決済手段と、このカード決済手段により商取引がカード決済される度に発生する所定の数値情報を累計記憶する累計記憶手段と、各種処理の指定を受け付けると共に前記累計記憶手段に記憶された数値情報の表示領域を有する待機画面を表示する表示部とを備えた決済端末である。
【００１０】
本発明の第２の視点は、取引情報を入力する取引情報入力手段と、この取引情報入力手段により入力した取引情報を用いて当該取引情報に係る商取引を決済する決済手段と、この決済手段により商取引が決済される度に発生する所定の数値情報を累計記憶する累計記憶手段と、取引情報の入力を受け付けると共に前記累計記憶手段に記憶された数値情報の表示領域を有する待機画面を表示する表示部とを備えたＰＯＳ端末である。
【００１１】
本発明の第３の視点は、前記ＰＯＳ端末の制御プログラムである。
【発明の効果】
【００１２】
上記のような手段を講じた本発明によれば、店舗の営業途中であっても容易にその日の売上状況を把握できるとともに、日計業務のし忘れを防止可能な決済端末及びＰＯＳ端末を提供することができる。
【図面の簡単な説明】
【００１３】
【図１】本発明の第１の実施形態に係る決済端末の外観斜視図。
【図２】同決済端末の制御回路を示すブロック図。
【図３】同決済端末のディスプレイに表示される待機画面の一例を示す模式図。
【図４】同決済端末のＣＰＵが実行する処理のフローチャート。
【図５】本発明の第２の実施形態に係るＰＯＳ端末の制御回路を示すブロック図。
【図６】同ＰＯＳ端末のキャッシャ側ディスプレイに表示される待機画面の一例を示す模式図。
【図７】同ＰＯＳ端末のＣＰＵが業務モードにおいて実行する処理のフローチャート。
【図８】同ＰＯＳ端末のＣＰＵが集計モードにおいて実行する処理のフローチャート。
【発明を実施するための形態】
【００１４】
［第１の実施形態］
以下、本発明の第一の実施形態について、図面を参照しながら説明する。  
この実施形態は、クレジットカードやデビットカードを用いて商取引を決済する決済端末に本発明を適用した一例である。
【００１５】
図１は、本実施形態における決済端末の外観斜視図である。  
決済端末１の本体１０は、ディスプレイ１１と、カードリーダ１２と、後述のレシートプリンタ１６により印刷されたレシートが排出されるレシート発行口１３と、商用交流電源等の外部電源からの電源供給をオン／オフする電源スイッチ１４とを備えている。また、本体１０の後部からは、決済端末１が設置された店舗のストアサーバやクレジットカード等の決済機関が運営する管理センタと通信接続するための通信ケーブル１５が延出している。  
ディスプレイ１１は、本実施形態における表示部として機能するものであり、表示面を覆うようにタッチパネル１７が設けられたＬＣＤ（Liquid Crystal Display）である。ディスプレイ１１には、後述の待機画面や決済端末１の動作モードに応じた画面が選択的に表示される。  
カードリーダ１２は、本実施形態におけるカード読取手段として機能するものであり、磁気ストライプが設けられたクレジットカードやデビットカード等の磁気カードがスライドされたことに応じて、前記磁気ストライプに記憶されたカード番号等のカード情報を読み取る。
【００１６】
図２は、決済端末１の制御回路を示すブロック図である。本体１０には、メインの制御手段として機能するＣＰＵ（Central Processing Unit）１００が内蔵されている。このＣＰＵ１００に対し、ＲＯＭ（Read Only Memory）１０１，ＲＡＭ（Random Access Memory）１０２，時計回路１０３，通信Ｉ／Ｆ（Interface）１０４、表示コントローラ１０５、入力コントローラ１０６、カードリーダコントローラ１０７、及びプリンタコントローラ１０８等がアドレスバスやデータバス等のバスライン１１０を介して接続されて、制御回路が構成されている。  
そして、通信Ｉ／Ｆ１０４に前記通信ケーブル１５が接続され、表示コントローラ１０５に前記ディスプレイ１１が接続され、入力コントローラ１０６に前記タッチパネル１７が接続され、カードリーダコントローラ１０７に前記カードリーダ１２が接続され、プリンタコントローラ１０８に前記レシートプリンタ１６が接続されている。
【００１７】
ＲＯＭ１０１には、決済端末１に業務モード，集計モード，設定モード、及び練習モード等の動作モードを実現させる各種アプリケーションファイル及びデータベースと、本実施形態における累計記憶手段として機能する件数記憶エリア２０及び金額記憶エリア２１とが記憶されている。
【００１８】
前記業務モードは、取引情報の入力を受け付け、入力された取引情報に基づいて商取引をカード決済する動作モードである。前記集計モードは、営業日の売上実績に基づいて規定の勘定項目を集計処理する、いわゆる日計処理を行う動作モードである。前記勘定項目は、例えば１日の取引件数、総取引金額、商品の部門別の取引件数及び取引金額、金券の使用金額等である。前記設定モードは、決済端末１の動作に関する各種設定を行う動作モードである。前記練習モードは、決済端末１の操作についてオペレータを訓練するために、各処理のシミュレーションを行う動作モードである。
【００１９】
件数記憶エリア２０には、決済端末１にてカード決済された商取引の累計件数が記憶される。金額記憶エリア２１には、決済端末１にてカード決済された商取引の累計取引金額が記憶される。
【００２０】
ＲＡＭ１０２には、処理場面に応じて各種の作業用記憶領域が形成される。時計回路１０３は、決済端末１で使用するシステム日時を計時する。通信Ｉ／Ｆ１０４は、本実施形態における通信手段として機能するものであり、通信ケーブル１５を介して行われる前記ストアサーバや管理センタとの通信を制御する。
【００２１】
表示コントローラ１０５は、ディスプレイ１１の画面表示を制御する。タッチパネル１７は、例えば抵抗膜方式のタッチパネルであり、ユーザが指先やタッチペンにて接触操作した位置に応じた電気信号を出力する。入力コントローラ１０６は、タッチパネル１７から出力される電気信号に基づいて接触位置座標を算出し、ＣＰＵ１００に通知する。
【００２２】
カードリーダコントローラ１０７は、カードリーダ１２による磁気カードの読取タイミングを制御し、カードリーダ１２が読み取ったカード情報をＣＰＵ１００に通知する。
【００２３】
レシートプリンタ１６は、熱転写により感熱紙等のレシート用紙に文字又は図形からなるパターンを形成させる、いわゆるサーマルプリンタである。プリンタコントローラ１０８は、ＲＡＭ１０２に作成される印字データに基づいてレシートプリンタ１６を駆動し、レシートやジャーナルを印字させる。
【００２４】
ＣＰＵ１００は、ソフトウェアを用いた情報処理により、次の（１）〜（４）の機能を実現する。  
（１）取引情報を入力する取引情報入力機能。特に本実施形態では、タッチパネル１７の接触操作によって取引情報を入力する。  
（２）カードリーダ１２により読取ったカード情報と取引情報入力機能により入力した取引情報とを用いて、当該取引情報に係る商取引をカード決済するカード決済機能。  
（３）営業日の売上実績に基づいて規定の勘定項目を集計処理する日計処理機能。  
（４）日計処理機能による集計処理が行われたとき、件数記憶エリア２０及び金額記憶エリア２１に記憶された数値情報、すなわち累計取引件数及び累計取引金額を初期化する初期化機能。
【００２５】
次に、ディスプレイ１１に表示される待機画面について説明する。  
図３は、待機画面の一例を示す模式図である。この待機画面３０は、業務モード，集計モード，設定モード，及び練習モード等のうち、いずれの動作モードにおける処理を実行するかをオペレータが選択する画面であり、決済端末１に電源が投入された直後にディスプレイ１１に表示される。
【００２６】
待機画面３０には、それぞれ業務モード，集計モード，設定モード，及び練習モードを選択する業務キー３１，集計キー３２，設定キー３３，及び練習キー３４や、累計情報表示エリア３５等が表示されている。前記業務キー３１，集計キー３２，設定キー３３，又は練習キー３４が接触操作されると、操作されたキーで選択される動作モード用の画面が待機画面３０上に、或いは待機画面３０に代えてディスプレイ１１に表示される。累計情報表示エリア３５には、件数記憶エリア２０に記憶された累計取引件数及び金額記憶エリア２１に記憶された累計取引金額が表示される。
【００２７】
次に、決済端末１の動作について説明する。  
図４は、決済端末１のＣＰＵ１００が実行する処理のフローチャートである。  
先ず、ＣＰＵ１００は、表示コントローラ１０５を介してディスプレイ１１に待機画面３０を表示させ、当該待機画面３０の接触操作を待ち受ける（ステップＳ１０２）。
【００２８】
待機画面３０に設けられたいずれかの操作キーが接触操作されると（ステップＳ１０２のＹｅｓ）、ＣＰＵ１００は、選択された操作を判定する（ステップＳ１０３）。このとき、業務キー３１が操作されている場合（ステップＳ１０３の“業務”）、ＣＰＵ１００は、取引対象である商品等の名称や価格で構成される取引情報の入力を待ち受ける（ステップＳ１０１，ステップＳ１０２のＮｏ）。このとき決済端末１を操作する店員は、ディスプレイ１１の画面表示にしたがってタッチパネル１７を操作することで取引情報を入力する。
【００２９】
店員は、取引対象となる全ての商品等について取引情報を入力し終えると、ディスプレイ１１の画面表示に従ってタッチパネル１７を操作することで、取引情報の入力完了を宣言する。このときＣＰＵ１００は、取引情報の入力が完了したと判断し（ステップＳ１０５のＹｅｓ）、カードリーダ１２によりクレジットカード等の決済用カードの読み取りを受け付ける状態にて待機する（ステップＳ１０６，ステップＳ１０７のＮｏ）。カードリーダ１２により決済用カードが読み取られると（ステップＳ１０７のＹｅｓ）、ＣＰＵ１００は、読み取ったカード情報を用いて周知の手順にてカード決済処理を実行する（ステップＳ１０８）。この処理では、図示せぬピンパッドを介した暗証番号の入力、決済用カードの管理センタとの通信の確立、カード情報及び暗証番号の前記管理センタへの送信、暗証番号の認証結果及び信用照会結果の受信、取引情報の前記管理センタへの送信、オーソリゼーション結果の受信等が行われる。
【００３０】
カード決済処理が完了すると、ＣＰＵ１００は、プリンタコントローラ１０８を介してレシートプリンタ１６を駆動し、当該取引の詳細情報を有する伝票を、店舗用、クレジット事業者用、顧客用の３つに分けて印字させる（ステップＳ１０９）。かくしてカード決済が完了したならば、ＣＰＵ１００は、当該取引の詳細情報からなる売上データを、通信Ｉ／Ｆ１０４を介して前記ストアサーバに送信する（ステップＳ１１０）。ストアサーバでは、決済端末１から受信した売上データを記憶・管理する。
【００３１】
ストアサーバに売上データを送信した後、ＣＰＵ１００は、件数記憶エリア２０に記憶された累計取引件数を１つインクリメントした数値にて件数記憶エリア２０を更新し、金額記憶エリア２１に記憶された累計取引金額に当該取引の取引金額を加算した数値にて金額記憶エリア２１を更新する（ステップＳ１１１）。以上で一取引に係る業務処理を完了し、図中のＡに戻って再び待機画面３０をディスプレイ１１に表示させる（ステップＳ１０１）。このとき待機画面３０の累計情報表示エリア３５に表示される取引件数及び取引金額は、前記一連の取引の内容を反映した数値となる。
【００３２】
通常、１日の店舗営業が終了した後には、その日の売上データを集計すべく、日計処理が行われる。この処理を行うに際して、オペレータは、待機画面３０に表示された集計キー３２を接触操作する。
【００３３】
集計キー３２が接触操作されると（ステップＳ１０３の“集計”）、ＣＰＵ１００は、売上データを管理するストアサーバにアクセスして前回の日計処理が行われた後に発生した売上データを受信する（ステップＳ１１２）。売上データを受信すると、ＣＰＵ１００は、該売上データを用いて予め定められた前記勘定項目を集計し、集計結果を表示コントローラ１０５を介してディスプレイ１１に表示させる（ステップＳ１１４）。さらに、ＣＰＵ１００は、プリンタコントローラ１０８を介してレシートプリンタ１６を駆動し、時系列に配列された売上データと、前記勘定項目とを印字したジャーナルを印字させる（ステップＳ１１４）。このジャーナルは、店舗の売上管理等に使用される。
【００３４】
しかる後、ＣＰＵ１００は、件数記憶エリア２０及び金額記憶エリア２１に記憶された累計取引件数及び累計取引金額を０件，０円にリセットし（ステップＳ１１５）、図中のＡに戻って再び待機画面３０をディスプレイ１１に表示させる（ステップＳ１０６）。このとき待機画面３０の累計情報表示エリア３５に表示される取引件数及び取引金額は、リセット後の数値、すなわち０件，０円になる。
【００３５】
なお、待機画面３０が表示された状態で、設定キー３３や練習キー３４等の他の操作キーが操作されると（ステップＳ１０３の“その他”）、ＣＰＵ１００は、操作されたキーに応じた処理を実行し（ステップＳ１１６）、図中のＡに戻って再び待機画面３０をディスプレイ１１に表示させる（ステップＳ１０６）。
【００３６】
以上説明したように、本実施形態に係る決済端末１のディスプレイ１１の待機画面３０には、前回日計処理が行われてからの累計取引件数と、累計取引金額とが常時表示される。これにより、店員は、店舗の営業途中であっても日計処理を行うことなく、容易にその日の売上状況を確認することができる。また、待機画面３０に表示された累計取引件数や累計取引金額を見れば、その日に取引が行われたかどうかを一見して知ることができるので、日計処理のし忘れを防止することができる。
【００３７】
また、日計業務が行われたことに応じて件数記憶エリア２０及び金額記憶エリア２１に記憶された累計取引件数及び累計取引金額がクリアされる。したがって、店舗の営業開始時に決済端末１を起動し、待機画面３０が表示された際に累計情報表示エリア３５を確認することで、前営業日に日計処理をし忘れていないかどうかを容易にチェックすることができる。
【００３８】
［第２の実施形態］
次に、本発明の第２の実施形態について、図面を参照しながら説明する。  
この実施形態は、スキャナによるバーコードの読み取り等で取引情報（商品情報）の入力を受け付け、入力された取引情報を用いて商取引を決済処理するＰＯＳ端末に本発明を適用した一例である。
【００３９】
図５は、本実施形態におけるＰＯＳ端末２の制御回路を示すブロック図である。ＰＯＳ端末２の本体には、メインの制御手段として機能するＣＰＵ２００が内蔵されている。このＣＰＵ２００に対し、ＲＯＭ２０１，ＲＡＭ２０２，時計回路２０３，通信Ｉ／Ｆ２０４、スキャナＩ／Ｆ２０５、入力コントローラ２０６、表示コントローラ２０７、表示コントローラ２０８、プリンタコントローラ２０９、及びＨＤＤコントローラ２１０等がアドレスバスやデータバス等のバスライン２１１を介して接続されて、制御回路が構成されている。  
そして、通信Ｉ／Ｆ２０４にストアサーバとデータ通信するための通信ケーブル２１２が接続され、スキャナＩ／Ｆ２０５にバーコードを光学的に読み取るバーコードスキャナ２１３が接続され、入力コントローラ２０６に動作モード切替用の鍵スイッチ２１４とキーボード２１５が接続され、表示コントローラ２０７に当該ＰＯＳ端末２を操作する店員（以下、キャッシャ）の立ち位置側に表示面が向けられたキャッシャ側ディスプレイ２１６が接続され、表示コントローラ２０８に顧客の立ち位置側に表示面が向けられた客側ディスプレイ２１７が接続され、プリンタコントローラ２０９にレシートプリンタ２１８が接続され、ＨＤＤコントローラ２１０にＨＤＤ２１９が接続されている。なお、ＰＯＳ端末２の本体には、商用交流電源等の外部電源からの電源供給をオン／オフする電源スイッチ２２０が設けられており、制御回路を構成する各部は、前記外部電源からの電源供給を受けて動作する。
【００４０】
ＲＯＭ２０１には、ＢＩＯＳ等の固定的データが記憶されている。ＲＡＭ２０２には、ＲＡＭ２０２には、本実施形態における記憶部又は累計記憶手段として機能する件数記憶エリア２０及び金額記憶エリア２１等の作業用記憶領域が形成される。件数記憶エリア２０には、ＰＯＳ端末２にて決済された商取引の累計件数が記憶される。金額記憶エリア２１には、ＰＯＳ端末２にて決済された商取引の累計取引金額が記憶される。
【００４１】
時計回路２０３は、ＰＯＳ端末２で使用するシステム日時を計時する。通信Ｉ／Ｆ２０４は、本実施形態における通信手段として機能するものであり、通信ケーブル２１２を介して行われる前記ストアサーバとの通信を制御する。
【００４２】
鍵スイッチ２１４は、店員が所持する操作キーを用いて回動操作可能であり、回動の停止位置に応じたモード切替信号を生成する。キーボード２１５は、商品情報の入力開始を宣言するＰＬＵキー、商品情報入力の完了を宣言する小計キー、取引の締めを宣言する締めキー等の操作キーで構成され、押下げられた操作キーに応じたキー信号を生成する。入力コントローラ２０６は、鍵スイッチ２１４が生成したモード切替信号やキーボード２１５が生成したキー信号を取り込んでＣＰＵ２００に通知する。モード切替信号の通知を受けたとき、ＣＰＵ２００は、該信号に従ってＰＯＳ端末２の動作モードを業務モード，集計モード，及び設定モード等の間で切り替える。また、キー信号の通知を受けたとき、ＣＰＵ２００は、該信号に応じた処理を実行する。
【００４３】
キャッシャ側ディスプレイ２１６は、本実施形態における表示部として機能するものであり、後述の待機画面等やＰＯＳ端末２の動作モードに応じた画面が選択的に表示される。表示コントローラ２０７は、キャッシャ側ディスプレイ２１６の画面表示を制御する。
【００４４】
客側ディスプレイ２１７は、例えばＶＦＤ（Vacuum Fluorescent Display）であり、ＰＯＳ端末２に入力された商品情報等を顧客に対して表示する。表示コントローラ２０８は、客側ディスプレイ２１７の画面表示を制御する
レシートプリンタ２１８は、熱転写により感熱紙等のレシート用紙に文字や図形当のパターンを形成させる、いわゆるサーマルプリンタである。プリンタコントローラ２０９は、ＲＡＭ２０２に作成される印字データに基づいてレシートプリンタ２１８を駆動し、レシートやジャーナルを印字させる。
【００４５】
ＨＤＤ２１９は、ＰＯＳ端末２に業務モード，集計モード，設定モード、及び練習モード等を実現させる各種アプリケーションファイル及び各種データベースを記憶している。ＨＤＤコントローラ２１０は、ＨＤＤ２１９へのデータ書き込み／読み出しを制御する。
【００４６】
ＣＰＵ２００は、ソフトウェアを用いた情報処理により、次の（５）〜（６）の機能を実現する。  
（５）取引情報を入力する取引情報入力機能。特に本実施形態では、バーコードスキャナ２１３を用いたて商品等に付されたーコードを読み取ることで、或いはキーボード２１５を操作することで、取引情報を入力する。  
（６）取引情報入力機能により入力した取引情報を用いて当該取引情報に係る商取引を決済する決済機能。  
次に、キャッシャ側ディスプレイ２１６に表示される待機画面について説明する。  
図６は、前記待機画面の一例を示す模式図である。この待機画面２３０は、前記鍵スイッチ２１４により業務モードが選択された際に表示される画面である。この待機画面２３０が表示された状態でキーボード２１５に設けられた前記ＰＬＵキーが押下げられると、商取引の会計業務が開始される。
【００４７】
待機画面２３０には、商品情報表示エリア２３１、プリセットキー表示エリア２３２、合計金額等表示エリア２３３、及び累計情報表示エリア２３４が表示されている。商品情報表示エリア２３１には、バーコードスキャナ２１３によるバーコードの読み取り等によって入力された商品情報のうちの商品名及び単価と該商品の買い上げ点数が表示される。プリセットキー表示エリア２３２には、バーコードが付されていない商品の商品情報を入力するためのプリセットキーが表示される。合計金額等表示エリア２３３には、商品情報表示エリア２３１に表示された各商品情報の合計点数、合計金額、及び当該取引の値引合計額等が表示される。累計情報表示エリア２３４には、件数記憶エリア２０に記憶された累計取引件数及び金額記憶エリア２１に記憶された累計取引金額が表示される。
【００４８】
次に、ＰＯＳ端末２の動作について説明する。  
１日の店舗営業を開始する際に、ＰＯＳ端末２の操作者は、鍵スイッチ２１４に操作キーを挿入して業務モードへの切り替え位置まで回動させる。これに応じて、ＰＯＳ端末２の動作モードが業務モードに切り替わる。
【００４９】
図７は、業務モードにおいてＣＰＵ２００が実行する処理のフローチャートである。  
先ず、ＣＰＵ２００は、表示コントローラ２０７を介してキャッシャ側ディスプレイ２１６に待機画面２３０を表示させ（ステップＳ２０１）、取引開始の宣言を待ち受ける（ステップＳ２０２のＮｏ）。
【００５０】
キーボード２１５に設けられたＰＬＵキーが操作されると、ＣＰＵ２００は、取引開始が宣言されたと判断する（ステップＳ２０２のＹｅｓ）。そして、ＣＰＵ２００は、商品情報の入力を受け付ける状態で、商品情報の入力完了を待ち受ける（ステップＳ２０３，Ｓ２０４のＮｏ）。このときキャッシャは、バーコードスキャナ２１３により商品に付されたバーコードを読み取ること、あるいはプリセットキー表示エリア２３２に表示されたプリセットキーを操作することで、商品情報を入力できる。入力された商品情報は、ＲＡＭ２０２に形成された記憶領域に登録されるとともに、商品情報表示エリア２３１に表示される。
【００５１】
全ての商品情報を入力し終えると、キャッシャは、キーボード２１５に設けられた小計キーを押下げる。小計キーが押下げられると、ＣＰＵ２００は、商品情報の入力が完了したと判断し（ステップＳ２０４のＹｅｓ）、取引の合計金額を算出して合計金額等表示エリア２３３及び客側ディスプレイ２１７に表示するとともに、代金の支払いを待ち受ける（ステップＳ２０５，Ｓ２０６のＮｏ）。このとき、キャッシャは、キーボード２１５を操作して顧客からの預り金額を入力する。なお、カードリーダや電子マネーとの通信端末をＰＯＳ端末２に接続し、クレジットカードや電子マネーによって代金の支払いを受け付けるようにしてもよい。
【００５２】
代金の支払いが完了すると、ＣＰＵ２００は、預り金額から取引の合計金額を差し引いて釣り銭額を算出し、キャッシャ側ディスプレイ２１６及び客側ディスプレイ２１７に表示する（ステップＳ２０７）。さらに、ＣＰＵ２００は、プリンタコントローラ２０９を介してレシートプリンタ２１８を駆動し、当該取引の詳細情報からなるレシートを印字させる（ステップＳ２０８）。このレシートは、釣銭とともにキャッシャから顧客に手渡される。
【００５３】
かくして代金の支払いが完了したならば、ＣＰＵ２００は、当該取引の詳細情報からなる売上データを、通信Ｉ／Ｆ２０４を介してストアサーバに送信する（ステップＳ２０９）。ストアサーバでは、ＰＯＳ端末２から受信した売上データが記憶・管理される。
【００５４】
売上データをストアサーバに送信した後、ＣＰＵ２００は、件数記憶エリア２０に記憶された累計取引件数を１つインクリメントした数値で件数記憶エリア２０を更新し、金額記憶エリア２１に記憶された累計取引金額に当該取引の取引金額を加算した数値で金額記憶エリア２１を更新する（ステップＳ２１０）。このとき待機画面２３０の累計情報表示エリア２３４に表示される取引件数及び取引金額は、前記一連の取引の内容を反映した数値となる。
【００５５】
以上で一取引に係る業務処理を完了し、図中のＢに戻って商品情報表示エリア２３１及び合計金額等表示エリア２３３の表示内容をクリアして次の取引の開始を待つ（ステップＳ２０１，Ｓ２０２のＮｏ）。
【００５６】
通常、１日の店舗営業が終了した後には、その日の売上データを集計すべく、日計処理が行われる。この処理を行うに際して、操作者は、鍵スイッチ２１４に操作キーを挿入して集計モードへの切り替え位置まで回動させる。これに応じて、ＰＯＳ端末２の動作モードが集計モードに切り替わる。
【００５７】
図８は、集計モードにおいてＣＰＵ２００が実行する処理のフローチャートである。  
先ず、ＣＰＵ２００は、通信Ｉ／Ｆ２０４を介して売上データを管理するストアサーバにアクセスし、前回の集計処理が行われた後に発生した売上データを受信する（ステップＳ２１１）。売上データを受信すると、ＣＰＵ２００は、該売上データを用いて予め定められた前記勘定項目を集計し、集計結果を表示コントローラ２０７を介してキャッシャ側ディスプレイ２１６に表示させる（ステップＳ２１３）。さらに、ＣＰＵ２００は、プリンタコントローラ２０９を介してレシートプリンタ２１８を駆動し、時系列に配列された売上データと、前記勘定項目とを印字したジャーナルを印字させる（ステップＳ２１３）。このジャーナルは、店舗の売上管理等に使用される。
【００５８】
しかる後、ＣＰＵ２００は、件数記憶エリア２０及び金額記憶エリア２１に記憶された取引件数及び取引金額を０件，０円にリセットし（ステップＳ２１４）、集計モードにおける一連の処理を終了する。かかる流れの日計処理を経た後に鍵スイッチ２１４を業務モードの切替位置まで回動させ、動作モードを業務モードに切り替えると、累計情報表示エリア２３４の累計取引件数及び累計取引金額がリセット後の数値、すなわち０件，０円となった待機画面２３０がキャッシャ側ディスプレイ２１６に表示される。
【００５９】
以上説明したように、本実施形態に係るＰＯＳ端末２の待機画面２３０には、前回日計処理が行われてからの累計取引件数と、累計取引金額とが常時表示される。したがって、第１の実施形態と同様に、容易にその日の売上状況を確認できるし、日計処理のし忘れを防止することもできる。
【００６０】
その他、第１の実施形態と同様の効果を奏することはいうまでもない。
【００６１】
［変形例］
なお、本発明は、前記各実施形態に開示した内容そのままに限定されるものではなく、実施段階ではその要旨を逸脱しない範囲で各実施形態に開示した構成要素を変形して具体化できる。
【００６２】
例えば、第１の実施形態では、業務モード，集計モード，設定モード，及び練習モード等の動作モードを選択する待機画面３０に累計取引件数及び累計取引金額を常時表示する場合について説明し、第２の実施形態では、取引情報の入力を受け付ける待機画面２３０に累計取引件数及び累計取引金額を常時表示する場合について説明した。しかしながら、本発明の待機画面としては、他の動作を待ち受ける待機画面を採用してもよい。累計取引件数や累計取引金額を表示する待機画面としては種々の画面を採用し得るが、店員の目につき易いように、店舗の営業時間においてオペレータ用のディスプレイに長時間表示される画面を採用することが望ましい。
【００６３】
また、前記各実施形態では、待機画面に表示される数値情報として、累計取引件数及び累計取引金額を採用した場合について説明した。しかしながら、累計取引件数又は累計取引金額のいずれか一方のみを待機画面に表示するようにしてもよい。或いは、待機画面に表示する数値情報として、累計取引件数及び累計取引金額以外の商取引毎に発生する数値情報を採用してもよい。このように待機画面に表示する情報を変更した場合であっても、前回の日計処理時から取引が行われたか否かを一見して見分けることができる。
【００６４】
さらに、待機画面に表示する数値情報を任意に選択できる機能を決済端末１やＰＯＳ端末２に設けてもよい。このようにすれば、決済端末１及びＰＯＳ端末２がメーカーから出荷された後であっても店舗の運営状況にあった最適な設定を容易に実現できるので、決済端末１及びＰＯＳ端末２の使い勝手がより向上する。
【００６５】
この他、前記各実施形態に開示されている複数の構成要素の適宜な組み合わせにより、種々の発明を形成できる。例えば、前記各実施形態に示される全構成要素から幾つかの構成要素を削除してもよい。さらに、要旨を逸脱しない範囲内で前記各実施形態に示される全構成要素に周知技術や慣用技術を組み合わせてもよい。
【符号の説明】
【００６６】
１…決済端末、２…ＰＯＳ端末、１１…ディスプレイ、２０…件数記憶エリア、２１…金額記憶エリア、３０，２３０…待機画面、３５，２３４…累計情報表示エリア、１００，２００…ＣＰＵ、２１６…キャッシャ側ディスプレイ
【先行技術文献】
【特許文献】
【００６７】
【特許文献１】特開２００５−２１６０１６号公報
【図１】
2011123660.tif 000003
【図２】
2011123660.tif 000004
【図３】
2011123660.tif 000005
【図４】
2011123660.tif 000006
【図５】
2011123660.tif 000007
【図６】
2011123660.tif 000008
【図７】
2011123660.tif 000009
【図８】
2011123660.tif 000010